(57)【要約】【課題】座部６の前方に上下揺動と前後伸縮とが可能とされた脚載せ部１５を備えた幼児用座席装置において、脚載せ部１５を上方へ揺動させてロックするまでの一連の操作を片手で行えるようにする。【解決手段】脚載せ部１５はベース部材１７とステップ部材１８とを有し、ベース部材１７又はステップ部材１８の一方に操作ツマミ４３が回転自在に設けられ、操作ツマミ４３のツマミ支軸４８にはステップ部材１８のスライドをオンオフするロック片４４が設けられており、座部６に設けられた支持枠部５５には操作ツマミ４３のノブ部４９を上方へ通り抜け可能とさせ且つ操作ツマミ４３の回転でノブ部４９を脱落不能にするノブ通し口５７が形成されており、ノブ通し口５７には操作ツマミ４３のノブ部４９に対して脱落不能に係合する仮フック６４が弾発付勢された状態で設けられている。【選択図】図１
2015081008.tif 000002
【特許請求の範囲】
【請求項１】
幼児を座らせる座部とこの座部の前方下部に設けられた脚載せ部とを有し、且つ前記脚載せ部は軸心を左右方向へ向けたヒンジ部により前記座部に連結されて前端側を上下揺動自在に設けられたベース部材とこのベース部材の上部で前後方向へスライド自在に設けられたステップ部材とを有して成る幼児用座席装置において、
前記脚載せ部における前記ベース部材又は前記ステップ部材の一方にはノブ部を上方へ向けて操作ツマミが回転自在に設けられ、
前記ベース部材又は前記ステップ部材の他方には前記ステップ部材のスライド時に前記操作ツマミのツマミ支軸に相対移動を許容する長孔が形成され、
前記操作ツマミのツマミ支軸には回転によって前記ステップ部材のスライドをオンオフ切り替えするロック片が設けられており、
前記座部には前記脚載せ部の上方への揺動を制限する支持枠部が設けられ、
この支持枠部には前記脚載せ部のベース部材に対して前記ステップ部材が後退位置に配置されたときにのみ前記操作ツマミのノブ部を上方へ通り抜け可能とさせ且つ当該操作ツマミの回転でノブ部を脱落不能にするノブ通し口が形成されており、
このノブ通し口には前記操作ツマミのノブ部が上方へ通り抜けたときに当該ノブ部に対して脱落不能に係合する仮フックが弾発付勢された状態で設けられている
ことを特徴とする幼児用座席装置。
【請求項２】
前記操作ツマミのノブ部は、周方向の一部をツマミ支軸の径方向へ突出させた指掛け突起を有しており、前記支持枠部に形成された前記ノブ通し口は、前記指掛け突起が特定方向を向いているときにのみ通過可能にする開口形状に形成されており、前記仮フックは前記ノブ通し口を上方へ通り抜けたときの前記操作ツマミの前記指掛け突起に向けて近接離反する配置で設けられ、この指掛け突起に前記仮フックが係合した状態で前記操作ツマミを回転操作することで前記指掛け突起と前記仮フックとの係合が外れるように構成されていることを特徴とする請求項１記載の幼児用座席装置。
【請求項３】
前記仮フックには、前記ノブ通し口から上方へ通り抜けた操作ツマミのノブ部に対して係合用の弾発付勢力を生起させる板バネ部が、当該仮フックの背後側に一体形成されていることを特徴とする請求項１又は請求項２記載の幼児用座席装置。
【請求項４】
前記支持枠部には、前記仮フックが前記操作ツマミへ近接離反するのをガイドするフック収容部が設けられており、このフック収容部には、前記仮フックの後退時に前記板バネ部の後退を邪魔して弾発作用を強めさせるバネ止め部が設けられていることを特徴とする請求項３記載の幼児用座席装置。
【発明の詳細な説明】
【技術分野】
【０００１】
本発明は、座部の前方下部で上下揺動と前後方向の伸縮とが可能とされた脚載せ部を備えた幼児用座席装置に関するものである。
【背景技術】
【０００２】
自転車に取り付ける幼児用座席装置には、幼児を乗せないときには荷カゴとして利用できるようにしたものがある（例えば、特許文献１等参照）。この種の幼児用座席装置では、幼児を座らせる座部の前方下部に設けた脚載せ部が、その前端側を上下させるようにして揺動自在に取り付けられている。すなわち、座部に幼児を乗せる場合には、脚載せ部を斜め下方へ向けて揺動させることで幼児の足を支持できるようにし、幼児を乗せないとき（荷カゴにするとき）には、脚載せ部を上方へ向けて揺動させることで、この脚載せ部により座部の前方下部を塞ぐようにする。
【０００３】
またこの幼児用座席装置では、脚載せ部を斜め下方へ向けているとき（幼児の足を支持するとき）に、幼児の成長や体格に合わせて脚載せスペースを前後に伸縮できる構造を採用している。具体的には、脚載せ部を、ベース部材と、このベース部材の上部で前後方向にスライド自在にしたステップ部材との組み合わせにより構成してある。
このように脚載せ部を上下揺動可能にし、且つ脚載せ部のステップ部材をスライド自在にした幼児用座席装置では、脚載せ部の上昇状態を保持させ、またステップ部材のスライドを停止保持させるために供用するロック装置が備えられている。
【０００４】
このロック装置は、脚載せ部のベース部材及びステップ部材に対して操作ツマミのツマミ支軸を上下貫通させ、操作ツマミのノブ部をステップ部材の上方へ突出させたものである。ステップ部材をスライドさせる構造に対応させるため、ベース部材では操作ツマミのツマミ支軸に回転のみを許容する回転孔が設けられたものとし、ステップ部材では操作ツマミのツマミ支軸にステップ部材のスライドを許容する長孔が設けられたものとしてある。
【０００５】
これに対し、座部には脚載せ部の揺動上限位置へ向けて突出する支持枠部を設けておき、この支持枠部に、操作ツマミのノブ部を通り抜け可能にするノブ通し口を形成してある。操作ツマミのノブ部は平面視形状を非回転対称形としてあり、ノブ通し口は、操作ツマミのノブ部に対応した開口形状に形成してある。そのため、ノブ通し口へ操作ツマミを通り抜けさせた後に操作ツマミを９０°回転操作すれば、操作ツマミのノブ部はノブ通し口から脱落しない構造となっている。
【先行技術文献】
【特許文献】
【０００６】
【特許文献１】特開２００６−１８２１９９号公報
【発明の概要】
【発明が解決しようとする課題】
【０００７】
前記従来の幼児用座席装置では、脚載せ部を斜め下方へ向けた状態でステップ部材を伸縮調節できるものであり、幼児に対して身体に合わせた最適な乗車姿勢を長く提供できる点で市場での評価は頗る高い。
ただ、斜め下方へ向けられている脚載せ部を上方へ揺動させて荷カゴへと仕様変更する際には、片手で脚載せ部を持ち上げるようにしながら、もう片方の手で操作ツマミをアンロック位置からロック位置へと回転操作させなければならない。そのため、片手に荷物を持っている場合などでは、この一連の操作ができないということがあった。
【０００８】
本発明は、上記事情に鑑みてなされたものであって、座部の前方下部で上下揺動と前後方向の伸縮とが可能とされた脚載せ部を備えた幼児用座席装置において、斜め下方へ向けられている脚載せ部を上方へ揺動させ、且つロックさせるまでの一連の操作を片手で行うことができるようにした幼児用座席装置を提供することを目的とする。
【課題を解決するための手段】
【０００９】
前記目的を達成するために、本発明は次の手段を講じた。
即ち、本発明に係る幼児用座席装置は、幼児を座らせる座部とこの座部の前方下部に設けられた脚載せ部とを有し、且つ前記脚載せ部は軸心を左右方向へ向けたヒンジ部により前記座部に連結されて前端側を上下揺動自在に設けられたベース部材とこのベース部材の上部で前後方向へスライド自在に設けられたステップ部材とを有して成る幼児用座席装置において、前記脚載せ部における前記ベース部材又は前記ステップ部材の一方にはノブ部を上方へ向けて操作ツマミが回転自在に設けられ、前記ベース部材又は前記ステップ部材の他方には前記ステップ部材のスライド時に前記操作ツマミのツマミ支軸に相対移動を許容する長孔が形成され、前記操作ツマミのツマミ支軸には回転によって前記ステップ部材のスライドをオンオフ切り替えするロック片が設けられており、前記座部には前記脚載せ部の上方への揺動を制限する支持枠部が設けられ、この支持枠部には前記脚載せ部のベース部材に対して前記ステップ部材が後退位置に配置されたときにのみ前記操作ツマミのノブ部を上方へ通り抜け可能とさせ且つ当該操作ツマミの回転でノブ部を脱落不能にするノブ通し口が形成されており、このノブ通し口には前記操作ツマミのノブ部が上方へ通り抜けたときに当該ノブ部に対して脱落不能に係合する仮フックが弾発付勢された状態で設けられていることを特徴とする。
【００１０】
前記操作ツマミのノブ部は、周方向の一部をツマミ支軸の径方向へ突出させた指掛け突起を有しており、前記支持枠部に形成された前記ノブ通し口は、前記指掛け突起が特定方向を向いているときにのみ通過可能にする開口形状に形成されており、前記仮フックは前記ノブ通し口を上方へ通り抜けたときの前記操作ツマミの前記指掛け突起に向けて近接離反する配置で設けられ、この指掛け突起に前記仮フックが係合した状態で前記操作ツマミを回転操作することで前記指掛け突起と前記仮フックとの係合が外れるように構成するのが好適である。
【００１１】
前記仮フックには、前記ノブ通し口から上方へ通り抜けた操作ツマミのノブ部に対して係合用の弾発付勢力を生起させる板バネ部が、当該仮フックの背後側に一体形成されているものとするのがよい。
前記支持枠部には、前記仮フックが前記操作ツマミへ近接離反するのをガイドするフック収容部が設けられており、このフック収容部には、前記仮フックの後退時に前記板バネ部の後退を邪魔して弾発作用を強めさせるバネ止め部が設けられたものとすることができる。
【発明の効果】
【００１２】
本発明は、座部の前方下部で上下揺動と前後方向の伸縮とが可能とされた脚載せ部を備えた幼児用座席装置において、斜め下方へ向けられている脚載せ部を上方へ揺動させ、且つロックさせるまでの一連の操作を片手で行うことができる。
【図面の簡単な説明】
【００１３】
【図１】本発明に係る幼児用座席装置の第１実施形態として採用した脚載せ部を分解して示した斜視図である。
【図２】本発明に係る幼児用座席装置を示した側面図である。
【図３】第１実施形態の脚載せ部について斜め下方へ向けられた状態から上昇させている過程を示したものであって（ａ）は操作ツマミのノブ部が仮フックに当接した時点の側断面図であり（ｂ）は操作ツマミのノブ部が仮フックを押し込んでいる時点の要部側断面図であり（ｃ）は操作ツマミのノブ部に対して仮フックが係合した時点の要部側断面図である。
【図４】脚載せ部について斜め下方へ向けた状態を示したものであって（ａ）はベース部材に対してステップ部材を後退位置（収縮位置）で停止させた時点の側断面図であり（ｂ）はベース部材に対してステップ部材を前進位置（伸出位置）で停止させた時点の側断面図である。
【図５】脚載せ部のベース部材を示した底面図（下面側から見た図）である。
【図６】脚載せ部のステップ部材を示した底面図（下面側から見た図）である。
【図７】座席本体の前半体を示した底面図（下面側から見た図）である。
【図８】第１実施形態で採用した仮フックを示したものであって（ａ）は平面図であり（ｂ）は正面図である。
【図９】第１実施形態で採用した仮フックを示したものであって（ａ）は側面図であり（ｂ）は側断面図である。
【図１０】本発明に係る幼児用座席装置の第２実施形態として採用した脚載せ部を分解して示した斜視図である。
【発明を実施するための形態】
【００１４】
以下、本発明の実施の形態を、図面に基づき説明する。
図１乃至図９は、本発明に係る幼児用座席装置１の第１実施形態を示している。図２に示すように、この幼児用座席装置１は、幼児を座らせる（幼児の尻部を支持する）座部６と、この座部６の後部で立ち上がって幼児の背中を支える背もたれ部７と、座部６の左右両側で立ち上がって幼児の左右両側をガードする側壁部８とを有する座席本体４を主体として構成されている。
【００１５】
背もたれ部７には、幼児の頭部を後方及び左右両側からサポートし及び／又はガードするためのヘッドレスト１０が上下動自在な状態に設けられている。なお、本第１実施形態では、座席本体４が前半体４Ａと後半体４Ｂとに分かれており、これらが前後方向の中間に配置される枢支部５によって揺動自在に連結されたものを示してある。後半体４Ｂが前半体４Ａに対して揺動することで、背もたれ部７のリクライニング調節が可能となっている。
【００１６】
座部６の前方上部（前半体４Ａ）には、左右の側壁部８間を渡る状態で幼児向けのハンドルバー１２が設けられている。このハンドルバー１２は、左右両端部にアーム部１３が設けられてコ字状に形成され、またこれら両アーム部１３の突端部には軸心を左右方向へ向けた回転軸部１４が設けられて、これら左右の回転軸部１４により左右それぞれの側壁部８と連結されている。従って、このハンドルバー１２は、回転軸部１４の軸心を中心とするアーム部１３の揺動により、前後方向へ移動自在とされ且つ移動後の複数ポジションでの位置固定（位置調節）ができるものとなっている。
【００１７】
また、座部６の前方下部には、座部６に乗せた幼児の足を支持すると共に、ガードできるようにした脚載せ部１５が設けられている。この脚載せ部１５は、幼児の足を支持する際には斜め下方へ向けられた状態にするが、座部６へ幼児を乗せないときには上方へ向けて揺動させることができる。脚載せ部１５を上方へ揺動させることで、座部６の前方下部を塞ぎ、もって、この座席本体４の内部に上方が開口した荷カゴ空間を形成させることができる。すなわち、座席本体４を荷カゴとして利用できるようになっている。
【００１８】
なお、脚載せ部１５を上方へ向けて揺動させる際（座席本体４を荷カゴとして利用する際）には、幼児用ハンドルバー１２は最も前方となる位置へ移動させて且つ位置固定し、荷カゴ空間を広く使えるようにするとよい。
この脚載せ部１５は、図１に示すように、ベース部材１７と、このベース部材１７の上部に設けられるステップ部材１８とを有しており、このうちベース部材１７が、座部６との間で軸心を左右方向へ向けたヒンジ部１６（図２参照）を形成させて連結されている。すなわち、脚載せ部１５の上下揺動は、ベース部材１７がヒンジ部１６を支点として前端側を上下揺動することにより行われる。また、これらベース部材１７とステップ部材１８との間にロック装置１９が設けられている。
【００１９】
ベース部材１７（下面側から示した図５も併せて参照）は、ヒンジ部１６用の揺動軸（図示略）を左右方向に向けて保持させる支軸保持部２３と、この支軸保持部２３の前方（図５では下方側）で左右の各方向へ板状に張り出す支持台２４，２４と、これら両支持台２４，２４の間に挟まれた配置で設けられるセンター台２５とを有して形成されている。
支持台２４には、長手方向を前後方向へ向けた長孔２７が形成されている。また、センター台２５には、その前端寄りに円孔２８が形成されている。この円孔２８の開口周部には、周方向の複数箇所（図例では９０°ごとの４等配となる位置としてある）に、ベース部材１７の下面側を上方へ向けて凹ますようにして位置決め凹部３０が設けられている。
【００２０】
一方、ステップ部材１８（下面側から示した図６も併せて参照）は、ベース部材１７の左右の支持台２４，２４上に重ね合わされる左右のステップ部３２，３２と、これら両ス
テップ部３２，３２の間に挟まれた配置で設けられるセンターカバー３３と、これら左右のステップ部３２，３２及びセンターカバー３３の前方及び左右両外側を取り囲みながら立ち上がるガード壁部３４とを有して形成されている。
【００２１】
ステップ部３２には、ベース部材１７の支持台２４に設けられた長孔２７と合致する配置で貫通孔３６が形成されている。この貫通孔３６と長孔２７との間がネジとナット、又はカシメピンなどを利用したスライドピン（図示略）により連結される。これにより、ベース部材１７とステップ部材１８とが分離不能に結合されると共に、相対的に前後方向に向けてスライド自在に保持されるようになっている。またこの結合時には、ステップ部材１８のセンターカバー３３がベース部材１７のセンター台２５に被さり、これにより、ベース部材１７とステップ部材１８とのスライドがガタツキのない状態にガイドされるようになっている。
【００２２】
センターカバー３３には、ベース部材１７のセンター台２５に設けられた円孔２８と合致する配置で、長手方向を前後方向へ向けた長孔３７が形成されている。ステップ部材１８の下面側において、この長孔３７の前端側の開口周部には同心円状で下向きに突出する前部ガイド４０が設けられ、また長孔３７の後端側の開口周部には同心円状で下向きに突出する後部ガイド４１が設けられている。更に長孔３７の中央部には、これら前部ガイド４０と後部ガイド４１との間を相互連通させるようにして下向きに突出する中央ガイド４２が設けられている。
【００２３】
なお、長孔３７は、中央ガイド４２内に比べて前部ガイド４０内及び後部ガイド４１内で徐々に開口幅が狭くなるような楕円状の開口形状とされている（図６参照）。
このようなステップ部材１８の長孔３７とベース部材１７の円孔２８との間に、操作ツマミ４３、ロック片４４及び回転規制具４５が取り付けられて、これらによって前記したロック装置１９が構成されている。このロック装置１９は、脚載せ部１５の上昇状態を保持させ、またステップ部材１８のスライドを停止保持させるために供用するためのものである。
【００２４】
ロック装置１９の操作ツマミ４３は、それ自体の回転操作時に回転軸として作用するツマミ支軸４８と、このツマミ支軸４８の上端部に設けられたノブ部４９とを有している。
ノブ部４９は、ツマミ支軸４８よりも一回り太く形成されたノブ本体５０に対し、その外周面から周方向の一部をツマミ支軸４８の径方向に向けるように指掛け突起５１を突出させたものとなっている。すなわち、ノブ部４９は、ツマミ支軸４８の軸心まわりで回転対称形を呈するものではない（非回転対称形である）。図例では、ノブ本体５０の相反する外周面位置で相対逆方向へ突出する２つの指掛け突起５１が設けられたものとしてある。
【００２５】
ロック装置１９のロック片４４は、長方形状（両端部が半円形とされたもの）小片とされており、ステップ部材１８の長孔３７（楕円状開口）を不通過となるように、両端の半円部相互間が一定の短辺幅を保持する形体として形成されている。このロック片４４は、操作ツマミ４３のツマミ支軸４８に対して一体回転可能な状態で串刺し状に嵌め付けられるようになっている。
【００２６】
このロック片４４は、長孔３７の前端側では前部ガイド４０によってガイドされつつ旋回し、同様に、長孔３７の後端側では後部ガイド４１によってガイドされつつ旋回するようになっている。また、これら前部ガイド４０と後部ガイド４１との相互間では、ロック片４４の長手方向を長孔３７の長手方向（すなわち、前後方向）に一致させたときにのみ、ロック片４４が中央ガイド４２内を移動自在となっている。言い換えれば、前部ガイド４０内や後部ガイド４１内において、ロック片４４の長手方向が長孔３７の長手方向と不一致（非平行）であるときは、ロック片４４が前部ガイド４０内や後部ガイド４１内から中央ガイド４２側へ移動することはできない。
【００２７】
ロック装置１９の回転規制具４５は、ベース部材１７の円孔２８よりも径大な円板形に形成されたものであって、操作ツマミ４３のツマミ支軸４８に対して一体回転可能な状態で結合されるようになっている。この回転規制具４５には、十字状に配置される４本の弾性片５３が生じるように、径方向に沿った複数本の切れ込みが形成されている。そして、
各弾性片５３の先端部には、円孔２８を取り囲む配置で形成された位置決め凹部３０と係合可能な半球状突起が上向き突出状態で形成されている。
【００２８】
従って、このロック装置１９において操作ツマミ４３を回転操作すると、９０°おきに弾性片５３の半球状突起が位置決め凹部３０とクリック感を伴って係止するようになり、操作者は、操作ツマミ４３の回転を停止させるように促されることになる。そして、このような操作ツマミ４３の回転停止ごとに、ロック片４４が長孔３７に沿って移動するか否か（ロック片４４が前部ガイド４０内や後部ガイド４１内から中央ガイド４２側へ向けて移動が許容されるか否か）が切り替わるようになる。
【００２９】
言うまでもなく、ロック片４４が長孔３７に沿った移動を許容されるときに、ベース部材１７に対するステップ部材１８の前後スライドが可能になる（図４参照）。このようなステップ部材１８の前後スライドは、脚載せ部１５の伸縮切り替えを行うためのものである。この切り替え操作は、図２及び図４に示すように、脚載せ部１５を下方へ揺動させて斜め下方へ向けた状態で行う。
【００３０】
このような脚載せ部１５は、前記したように、ベース部材１７の支軸保持部２３と座部６の前端部とを揺動軸（図示略）で連結してヒンジ部１６を形成させることにより、座部６に対して上下揺動自在に取り付けられる（図２参照）。
これに対し、座部６には、脚載せ部１５の上方への揺動を制限する支持枠部５５が設けられている。この支持枠部５５は、座部６に座った幼児の股間を通り抜けて前方へ突出するように、座部６の前端部から座席本体４における前半体４Ａの前端まで延出し、その後に上方へ屈曲して前半体４Ａの前面カバー部５６と連結一体化されるべく、折れ曲がった帯板状に形成されている（同じく図２参照）。
【００３１】
この支持枠部５５には、図１に示すように（座席本体４の前半体４Ａを下面側から示した図７も併せて参照）、上下方向で貫通するノブ通し口５７が形成されている。このノブ通し口５７は、操作ツマミ４３のノブ部４９を上方へ通り抜け可能とさせるものであって、脚載せ部１５のベース部材１７に対してステップ部材１８が後退位置（収縮位置）に配置されたときにのみ、操作ツマミ４３と一致する配置とされている。言い換えれば、ベース部材１７に対してステップ部材１８が前進位置（伸出位置）に配置されているときには、操作ツマミ４３のノブ部４９がノブ通し口５７と不一致となり、通過不能となっている。ここにおいて、ステップ部材１８の後退位置は、長孔３７の前部ガイド４０内にロック片４４が入り込んでいる位置であると言うこともできる。
【００３２】
このノブ通し口５７は、ノブ部４９の指掛け突起５１が特定方向（図例では前後方向としている）を向いているときにのみ、このノブ部４９を通過可能にする開口形状（前後方向に長い長孔）に形成されている。すなわち、操作ツマミ４３のノブ部４９がこのノブ通し口５７を通り抜けた後、操作ツマミ４３を９０°回転させると、ノブ通し口５７の開口周部に指掛け突起５１が引っ掛かり、ノブ部４９は脱落不能になる。
【００３３】
このノブ通し口５７の外周部には、板バネ部６３を備えた仮フック６４が設けられている。この仮フック６４は、操作ツマミ４３のノブ部４９がノブ通し口５７を上方へ通り抜けたときに、このノブ部４９に対して係合し、ノブ部４９を脱落不能に仮保持させるためのものである。仮フック６４によるノブ部４９への係合箇所は、指掛け突起５１の下端とすればよいが、指掛け突起５１に下向きの段差や突起等を設けることで、これら段差や突起等に対して仮フック６４を係合させるようにしてもよい。
【００３４】
ノブ通し口５７に対し、仮フック６４が設けられる配置は、ノブ部４９がノブ通し口５７を上方へ通り抜けたときに指掛け突起５１が突出している方向に一致させてある。前記したように、本第１実施形態ではノブ通し口５７が、その開口形状の長手方向を前後方向に向けて形成されているので、このノブ通し口５７を上方へ通り抜けたときのノブ部４９は、指掛け突起５１が前後方向へ突出している状態にある。そのため、仮フック６４は、ノブ通し口５７に対する前方や後方、又は前後両方（図例では後方）に配置されたものとしてある。
【００３５】
なお、もし仮に、ノブ通し口５７を、その開口形状の長手方向が左右方向に向くように形成するのであれば、操作ツマミ４３のノブ部４９をノブ通し口５７の上方へ通り抜けさ
せたとき、ノブ部４９の指掛け突起５１も左右方向へ突出していることになる。そのため仮フック６４についても、ノブ通し口５７に対する左方や右方、又は左右両方に配置すればよいことになる。
【００３６】
仮フック６４に備えられた板バネ部６３は、ノブ通し口５７から上方へ通り抜けた操作ツマミ４３のノブ部４９（指掛け突起５１）へ向け、仮フック６４に係合用の弾発付勢力を付与させるためのものである。
この板バネ部６３は、仮フック６４の背後側に一体形成されたものとするのが好適である。本実施形態では、図８及び図９に示すように、仮フック６４の上部に押釦部６５が設けられ、この押釦部６５の上端部から仮フック６４とは逆向きに屈曲した天蓋部６６が設けられ、この天蓋部６６の先端で板バネ部６３が垂下形成されているものとした。
【００３７】
なお、仮フック６４に対しては、押釦部６５や天蓋部６６を介して板バネ部６３を一体形成することが限定されるものではなく、この板バネ部６３に代えてコイルバネなどの別部材より成る弾発具を仮フック６４の背面部に付設する構造にしてもよい。
このような板バネ部６３（又は弾発具：以下同じ）を備える仮フック６４は、板バネ部６３の弾発付勢力により操作ツマミ４３の指掛け突起５１に対して近接する方向へ向けて押し出されるようになる。また仮フック６４がこの付勢力とは逆向きの押し戻し力を受けたときには、この付勢力に抗しながら（付勢力を強めながら）、指掛け突起５１から離反することも可能となっている。
【００３８】
ところで、前記支持枠部５５には、仮フック６４をノブ通し口５７の開口内へ向けて出っ張らせるように保持するためのフック収容部６８が設けられている。このフック収容部６８は、支持枠部５５の上面で仮フック６４が突出しないように没入させることのできる上部開口の凹部となっている。そのため、仮フック６４は、操作ツマミ４３のノブ部４９に対して近接離反する動きがこのフック収容部６８によってガイドされるようになる。
【００３９】
そして、このフック収容部６８の内部には階段状に形成されて板バネ部６３の下端と係合するバネ止め部６９が設けられている。このバネ止め部６９は、仮フック６４がノブ通し口５７から外向きに押し戻されたとき（後退時）に、板バネ部６３の後退を邪魔して、この板バネ部６３の弾発作用を強めさせるようにする。
従って、図３（ａ）に示すように、斜め下方へ向けられていた脚載せ部１５を上方へ揺動させる過程を説明すると、支持枠部５５のノブ通し口５７に対して操作ツマミ４３のノブ部４９が接近し、ノブ部４９の指掛け突起５１が仮フック６４にその下方から当接することに伴い、仮フック６４には、ノブ通し口５７から外向きに押す作用（板バネ部６３の付勢力に抗して押し戻す作用）が付与される。
【００４０】
このようにして仮フック６４が押されると、図３（ｂ）に示すように、板バネ部６３がバネ止め部６９によって後退を邪魔されることにより、この板バネ部６３には、仮フック６４をノブ通し口５７内へ押し出すための弾発作用が生じ、次第に強められるようになる。
脚載せ部１５を更に上方へ揺動させ、操作ツマミ４３のノブ部４９をノブ通し口５７の上方へ完全に通り抜けさせると、図３（ｃ）に示すように、ノブ部４９の指掛け突起５１に対して仮フック６４が係合する。この係合状態は、板バネ部６３の付勢力（或いは弾性復元力で元の垂下状態を維持しようとする作用）を伴った状態にあり、簡単には解除されない。そのため、この状態で脚載せ部１５から手を離しても、操作ツマミ４３のノブ部４９はノブ通し口５７から脱落することはない。
【００４１】
このようにして脚載せ部１５を上昇位置で仮保持状態にさせた後、ロック装置１９において操作ツマミ４３を回転操作することで、ノブ部４９の指掛け突起５１と仮フック６４との係合は外れ、代わりにノブ部４９の指掛け突起５１がノブ通し口５７の開口周部に係止されることになる。これによって脚載せ部１５を上方へ揺動させた状態がロックされることになる。またこのときの操作ツマミ４３の回転により、ロック片４４はステップ部材１８の長孔３７に設けられた前部ガイド４０内で９０°向きを換えるようになり、中央ガイド４２側へ移動できない状態（長孔３７に沿った移動ができない状態）にロックされることになる。
【００４２】
以上、詳説したところから明らかなように、本発明に係る幼児用座席装置１では、斜め下方へ向けられている脚載せ部１５を上方へ揺動させ、且つロックさせるまでの一連の操作を、片手で行うことができる。従って、片手に荷物などを持っている場合などであっても、この一連の操作を行うことができる。
図１０は、本発明に係る幼児用座席装置１の第２実施形態を示している。本第２実施形態が第１実施形態（図１参照）と最も異なるところは、脚載せ部１５において、ベース部材１７とステップ部材１８との間で、円孔２８と長孔３７との配置が相対逆になっている点にある。
【００４３】
すなわち、ステップ部材１８のセンターカバー３３には円孔２８が形成されている。この円孔２８の開口周部には、周方向の複数箇所（図例では９０°ごとの４等配となる位置としてある）に、センターカバー３３の下面側で下方へ向けて突出させるようにして位置決め凹部３０が設けられている。また位置決め凹部３０は、円弧形にカーブした堤状の凸部とされている。
【００４４】
これに対してベース部材１７のセンター台２５には、ステップ部材１８のセンターカバー３３に設けられた円孔２８と合致する配置で、長手方向を前後方向へ向けた長孔３７が形成されている。センター台２５の下面側において、この長孔３７の前端側の開口周部には同心円状で下向きに突出する前部ガイド４０が設けられ、また長孔３７の後端側の開口周部には同心円状で下向きに突出する後部ガイド４１が設けられている。更に長孔３７の中央部には、これら前部ガイド４０と後部ガイド４１との間を相互連通させるようにして下向きに突出する中央ガイド４２が設けられている。
【００４５】
なお、ステップ部材１８の円孔２８とベース部材１７の長孔３７との間に、操作ツマミ４３、ロック片４４及び回転規制具４５が取り付けられて、これらによってロック装置１９が構成されることは、第１実施形態と同じである。
但し、ステップ部材１８のセンターカバー３３に円孔２８が設けられていることに伴い、このセンターカバー３３の下面に回転規制具４５が配置されることになり、またベース部材１７のセンター台２５に長孔３７が形成されていることに伴い、このセンター台２５の下面にロック片４４が配置されることになる。
【００４６】
なお、本第２実施形態で採用した回転規制具４５は、円弧形にカーブした堤状凸部である位置決め凹部３０の相互間に嵌るように、係合腕を十字状に突出させた形体のものとしてある。
また、本第２実施形態で採用している仮フック６４は、天蓋部６６が卵を半分に割ったような流面形に形成されたものとしてある。そして、この天蓋部６６の下面側には、第１実施形態で採用していた板バネ部６３に代えて、２本のカムバー７５を対向させた弾性カム７６が設けられたものとしてある。
【００４７】
この弾性カム７６に対し、座部６の前方に設けられた支持枠部５５には、三角形状の楔台７７が上凸状態で設けられている。すなわち、仮フック６４がノブ通し口５７から外向きに押されたとき、弾性カム７６に対して楔台７７が食い込むようになって２本のカムバー７５が股開き状に湾曲しつつ相対離反されるようになる。このとき、２本のカムバー７５に対して、湾曲を戻そうとする弾性復元力が生起し、この弾性復元力によって仮フック６４をノブ通し口５７内へ押し出すための弾発作用が生じることになる。
【００４８】
その他、本第２実施形態における各部の細部形状や構造、相対的な配置関係及び作用（動作状況を含む）等に関しては第１実施形態と略同様であるので、同じ作用を奏するものに同一符号を付することでここでの詳説は省略する。
ところで、本発明は、前記各実施形態に限定されるものではなく、実施の形態に応じて適宜変更可能である。
【００４９】
例えば、ベース部材１７、スライド部材１８、ロック装置１９において、それらの細部構造や形状などは、適宜変更可能なものである。殊に、ロック装置１９において、押釦部６５や天蓋部６６などは省略することも可能である。また前記したように、仮フック６４に対して弾性付勢力を付与する構造として、板バネ部６３や弾性カム７６を採用できる他、別部材としての弾性具を採用可能であるなど、細部構造や細部形状などは適宜変更可能
である。
【符号の説明】
【００５０】
１  幼児用座席装置
４  座席本体
４Ａ  前半体
４Ｂ  後半体
５  枢支部
６  座部
７  背もたれ部
８  側壁部
１０  ヘッドレスト
１２  ハンドルバー
１３  アーム部
１４  回転軸部
１５  脚載せ部
１６  ヒンジ部
１７  ベース部材
１８  ステップ部材
１９  ロック装置
２３  支軸保持部
２４  支持台
２５  センター台
２７  長孔
２８  円孔
３０  凹部
３２  ステップ部
３３  センターカバー
３４  ガード壁部
３６  貫通孔
３７  長孔
４０  前部ガイド
４１  後部ガイド
４２  中央ガイド
４３  操作ツマミ
４４  ロック片
４５  回転規制具
４８  ツマミ支軸
４９  ノブ部
５０  ノブ本体
５１  突起
５３  弾性片
５５  支持枠部
５６  前面カバー部
５７  ノブ通し口
６３  板バネ部
６４  仮フック
６５  押釦部
６６  天蓋部
６８  フック収容部
６９  バネ止め部
７５  カムバー
７６  弾性カム
７７  楔台
【図１】
2015081008.tif 000003
【図２】
2015081008.tif 000004
【図３】
2015081008.tif 000005
【図４】
2015081008.tif 000006
【図５】
2015081008.tif 000007
【図６】
2015081008.tif 000008
【図７】
2015081008.tif 000009
【図８】
2015081008.tif 000010
【図９】
2015081008.tif 000011
【図１０】
2015081008.tif 000012